(57)【要約】【課題】下肢静脈瘤エコー検査に適した姿勢を被検査者に促すことができる検査台を提供する。【解決手段】検査を受ける被検査者１が座る座部１５と、大腿部４の裏側を座部１５の縁１６に載せると共に下腿部６を垂下させた姿勢で背中３が支持される位置に配置された第一支持部１７と、足７を支持する下肢支持部１９とから検査台１０を構成する。【選択図】図４
2016067678.tif 000002
【特許請求の範囲】
【請求項１】
検査を受ける被検査者が載る検査台本体部と、
大腿部の裏側を前記検査台本体部の縁に載せると共に下腿部を垂下させて前記検査台本体部に前記被検査者が座り、この姿勢で上半身が支持される位置に配置される第一支持部と、
が備えられた、
ことを特徴とする検査台。
【請求項２】
検査される下肢を支持する下肢支持部が備えられ、この下肢支持部が移動可能である、
ことを特徴とする請求項１に記載された検査台。
【請求項３】
座った前記被検査者が前記第一支持部で支持される第一状態と、
横たわった前記被検査者の上半身を支持して起こす第二状態と、
横たわった前記被検査者と対面した前記検査台本体部の一部である検査窓部が開口して、前記被検査者の身体の一部を露出させる第三状態と、
のいずれにも変形する、
ことを特徴とする請求項１または請求項２に記載された検査台。
【請求項４】
前記検査台本体部に横たわった前記被検査者の上半身を支持して起こす第二支持部と、
横たわった前記被検査者と対面した前記検査台本体部の一部である検査窓部を開口して前記被検査者の身体の一部を露出させる開口片部と、
が備えられた、
ことを特徴とする請求項１から請求項３のいずれか１項に記載された検査台。
【請求項５】
前記被検査者の上半身と対面する前記第一支持部の支持面が、前記検査台本体部の幅方向に向けられた、
ことを特徴とする請求項１から請求項４のいずれか１項に記載された検査台。
【発明の詳細な説明】
【技術分野】
【０００１】
本発明は、医療施設などでの検査の際に用いられる検査台に関するものである。
【背景技術】
【０００２】
一般的に、医療施設において検査（特に超音波検査）を行う場合、被検査者は検査台に載り、検査を受ける。超音波検査は、例えば、心臓エコー検査、腹部エコー検査、産婦人科における経膣エコー検査や経腹エコー検査、下肢静脈瘤エコー検査などが多種多様に存在する。検査毎に検査者及び被検査者の検査姿勢は異なっており、そのため、検査姿勢に伴い、用いる検査台の形状及び構造も異なる。上記の検査台として、例えば下記特許文献１から３の発明が開示されている。
【０００３】
下記特許文献１に記載された測定装置は、例えば乳房検査に用いられるものであり、横たわった被検者の乳房が挿入される挿入口がベッドに形成され、乳房を圧迫板で圧迫しながら乳房の組成組織を撮影する。
【０００４】
下記特許文献２に記載された超音波診断用ベッドは、ベッドの隅にＬ字形の切欠き部が形成され、この切欠き部に超音波診断装置を配置することで、ベッドに寝かされた患者と超音波診断装置との距離が縮まって、医者や技師が検査しやすくなる。
【０００５】
下記特許文献３に記載された超音波診断用診察台は、患者が横たわる上板の一部が下方に落ち込むなどして患者の身体の一部が露出し、そこから患者の胸部や腹部にプローブを当てることで、患者が横たわった状態で検査することができる。
【０００６】
一方で、下肢静脈瘤エコー検査では、被検査者の身体的負担の軽減から、検査用ベッドあるいは検査台に被検査者を着座させ、検査を行う。この場合、検査者は、検診台よりも低い位置に垂下した被検査者の下肢に片方の手でプローブを当て、同時に、検診台よりも高い位置に設置されたエコー装置の操作部を、もう片方の手で操作することになる。したがって、検査者が身体を捻って半身を起こした姿勢で検査することになるため、検査者に負担がかかる。このような事情から、下肢静脈瘤エコー検査において昇降する検査台が提案されている。このような検査台によれば、検査台を上昇させることで、被検査者の下肢の位置を操作部に応じた適当な位置に移動させて検査することができる。
【先行技術文献】
【特許文献】
【０００７】
【特許文献１】特開２０１２−１３０６６４号公報
【特許文献２】特開平５−１３１０１５号公報
【特許文献３】特開平１０−２４８８４６号公報
【発明の概要】
【発明が解決しようとする課題】
【０００８】
しかし、上記した特許文献１から３に記載された各検査台は、用途が一義的であり、各検査台が目的とした検査以外の他の種類の検査には適していない。すなわち、上記した特許文献１に記載された測定装置は、乳房などの検査に適しており、上記した特許文献２に記載された超音波診断用ベッドおよび特許文献３に記載された超音波診断用診察台は、心臓エコーや腹部エコーには適しているが、いずれの検査台も下肢静脈瘤エコーには適していない。また、下肢静脈瘤エコー検査において昇降する検査台は、被検査者の下肢の位置を昇降させることができるが、被検査者は上半身の姿勢を安定させ難い。
【０００９】
本発明は、上記の実情に鑑みて提案されたものである。すなわち、下肢静脈瘤エコー検査に適した姿勢を被検査者に促すことができる検査台の提供を目的とする。
【課題を解決するための手段】
【００１０】
上記目的を達成するために、本発明に係る検査台は、検査を受ける被検査者が載せられる検査台本体部と、大腿部の裏側を前記検査台本体部の縁に載せると共に下腿部を垂下させて前記検査台本体部に前記被検査者が座らされ、この姿勢で上半身が支持される位置に配置される第一支持部と、が備えられた、ことを特徴とする。
【００１１】
本発明に係る検査台は、検査される下肢を支持する下肢支持部が備えられ、この下肢支持部が移動可能である、ことを特徴とする。
【００１２】
本発明に係る検査台は、座った前記被検査者が前記第一支持部で支持される第一状態と、横たわった前記被検査者の上半身を支持して起こす第二状態と、横たわった前記被検査者と対面した前記検査台本体部の一部である検査窓部が開口して、前記被検査者の身体の一部を露出させる第三状態と、のいずれにも変形する、ことを特徴とする。
【００１３】
本発明に係る検査台は、前記検査台本体部に横たわった前記被検査者の上半身を支持して起こす第二支持部と、横たわった前記被検査者と対面した前記検査台本体部の一部である検査窓部を開口して前記被検査者の身体の一部を露出させる開口片部と、が備えられた、ことを特徴とする。
【００１４】
本発明に係る検査台は、前記被検査者の上半身と対面する前記第一支持部の支持面が、前記検査台本体部の幅方向に向けられた、ことを特徴とする。
【発明の効果】
【００１５】
本発明に係る検査台は上記した構成である。この構成により、大腿部の裏側および下腿部が露出する。下肢静脈瘤エコー検査に適した姿勢を被検査者に促すことができる。
【００１６】
本発明に係る検査台は、検査される下肢を支持する下肢支持部が備えられ、この下肢支持部が移動可能である。したがって、被検査者の下肢を適切な姿勢で安定させることができる。被検査者が検査台に着座した状態で足が接地していない場合、下肢の血流誘導性は悪くなる。血流誘導性が悪い中で、エコー検査を行う場合、患部の血流を確認しづらく、検査効率は低くなる。また、下肢静脈瘤エコー検査は様々な方向、角度から患部をエコーによって観察する。そのため、被検査者の下肢を垂下させた状態のみでなく、下肢を伸ばした状態、もしくは垂下より曲げた状態でも検査を行う必要がある。したがって、被検査者の下肢が接地していない状態においては被検査者の下肢を検査者は自らの大腿等を台とし、下肢の角度を手指で拘束しおこなっている。上記姿勢において検査を行うことは検査者及び被検査者に多大な負担がかかる。下肢支持部を設け、移動可能とすることで、検査者は被検査者の下肢を適切な姿勢で安定させることができる。また、検査者が被検査者の下肢を支える必要がなくなるため、検査者に対する身体的、精神的、および衛生的な負担を軽減することができる。
【００１７】
本発明に係る検査台は、座った被検査者が第一支持部で支持される第一状態と、横たわった被検査者の上半身を支持して起こす第二状態と、横たわった被検査者と対面した検査台本体部の一部である検査窓部が開口して、被検査者の身体の一部を露出させる第三状態と、のいずれにも変形する。この構成により、第一状態、第二状態、および第三状態の三態様に応じた姿勢を被検査者に促すことで、様々な超音波検査に適した姿勢で被検査者が支持される。したがって、一台で多目的な利用を実現することが可能であり、特に、短距離の移動においても身体的負荷が大きい高齢者などの被検査者において、移動を最低限とするため、検査者の補助も必要なくなり検査効率が向上する。
【００１８】
本発明に係る検査台は、検査台本体部に横たわった被検査者の上半身を支持して起こす第二支持部と、横たわった被検査者と対面した検査台本体部の一部である検査窓部を開口して被検査者の身体の一部を露出させる開口片部とが備えられている。この構成により、被検査者は、第一支持部によって上半身が支持された姿勢、検査窓部が開口して腹部または胸部などが露出した状態で横たわった姿勢、下腿部を垂下させた状態で上半身が支持された姿勢が促される。したがって、様々な超音波検査に適した姿勢を一台で促すことができる。
【００１９】
本発明に係る検査台は、被検査者の上半身と対面する第一支持部の支持面が、検査台本体部の幅方向に向けられている。この構成により、被検査者が検査台に座った状態で、上半身が検査台本体部の幅方向から支持される。したがって、被検査者が検査に適した姿勢を容易に取ることができ、その姿勢を安定させることができる。
【図面の簡単な説明】
【００２０】
【図１】本発明の実施形態に係る検査台を正面から視した外観正面図である。
【図２】本発明の実施形態に係る検査台を上方から視した外観平面図である。
【図３】本発明の実施形態に係る検査台を長手方向から視した外観側面図である。
【図４】本発明の実施形態に係る検査台の使用状態が示された側面図である。
【図５】本発明の実施形態に係る検査台の使用状態が示された側面図である。
【図６】本発明の実施形態に係る検査台の変形例の使用状態が示された側面図である。
【発明を実施するための形態】
【００２１】
以下に、本発明の実施形態に係る検査台を図面に基づいて説明する。図１、図２および図３は、本発明の実施形態に係る検査台１０が示され、図４および図５は、本発明の実施形態に係る検査台１０の使用状態が示されている。なお、以下の説明では、検査台の長手方向と交差する方向を幅方向、地面に対して鉛直方向を高さ方向とする。
【００２２】
図１に示されているとおり、本実施形態に係る検査台１０は、次の各部が備えられている。すなわち、検査台１０は、板状の基台部１１と、この基台部１１に取り付けられた昇降部１２と、この昇降部１２に取り付けられた検査台本体部１３とが備えられている。
【００２３】
基台部１１は、裏側にキャスターが取り付けられ、正面側に下肢支持部１９が取り付けられている。下肢支持部１９は、棒状の部材がコ字状に連なって形成され、基台部１１に対して移動することが可能である。すなわち、下肢支持部１９は、基台部１１に取り付けられた可動部材２４と、棒状の一方の先端が可動部材２４に取り付けられた一対の第一棒部材２５と、この第一棒部材２５の他方の先端に直角に連接されると共に第一棒部材２５間に配置された第二棒部材２６とが備えられている。図３に示されているとおり、下肢支持部１９は、可動部材２４を軸にして第一棒部材２５が任意に傾倒することで、第二棒部材２６の位置が検査台１０に対して接近し、または離反する。また、可動部材２４を基台部１１の正面側に向けて前進させることで、下肢支持部１９は、基台部１１から離れる方向（幅方向）に移動することが可能である（図５参照）。図４に示されているとおり、下肢支持部１９は、検査を受ける被検査者１の下肢の足７が載せられて支持される。
【００２４】
本実施形態の変形例として、図６に示されているとおり、下肢支持部１９は、傾倒させずに基台部１１から離れる方向（幅方向）に移動させる構成であってもよく、また、第二棒部材２６が、被検査者１の足７の土踏まずに倣った形状であってもよい。
【００２５】
図１に示されているとおり、昇降部１２は、基台部１１に対して任意の高さに検査台本体部１３の位置を昇降させるものである。
【００２６】
図１および図２に示されているとおり、検査台本体部１３は、検査を受ける被検査者１が載せられるベッドであり（図４参照）、次の各部が備えられている。すなわち、検査台本体部１３は、正面から視して下肢支持部１９の高さ方向に配置された本体中央部１４と、この本体中央部１４に形成された座部１５および第一支持部１７と、本体中央部１４からベッドの長手方向に連結された第二支持部２０と、この第二支持部２０に形成された開口片部２２とが備えられている。
【００２７】
図２に示されているとおり、本体中央部１４に形成された座部１５は、被検査者１が正面側を向いて座る部分である（図４参照）。一方、本体中央部１４に形成された第一支持部１７は、幅方向に座部１５と連結された背もたれであり、被検査者１の背中３と対面する支持面１８が形成されている（図４参照）。第一支持部１７は、検査台本体部１３の幅方向に起こされて支持面１８が正面側に向けられる。図４に示されているとおり、被検査者１は、腰部２を座部１５の深い位置（幅方向）に配置させて座り、背中３を第一支持部１７の支持面１８に対面させる。その際、被検査者１は、大腿部４の裏側が座部１５の縁１６に配置され、縁１６と膝の裏５との間が空けられて下腿部６が垂下した姿勢になる。
【００２８】
すなわち、被検査者１が大腿部４の裏側を座部１５の縁１６に載せると共に縁１６と膝の裏５との間を空けて下腿部６を垂下させ、背中３を支持面１８に対面させて第一支持部１７に寄りかかった姿勢において、被検査者１の上半身を支持する位置に第一支持部１７が配置されている。また、被検査者１が腰部２を座部１５の深い位置（幅方向）に配置させて座ると共に背中３を第一支持部１７の支持面１８に対面させて第一支持部１７に寄りかかった姿勢において、縁１６に被検査者１の大腿部４の裏側が載せられると共に縁１６と膝の裏５との間が空けられる長さに座部１５の奥行（幅方向の長さ）が形成されている。
【００２９】
なお、第一支持部１７は、例えば本体中央部１４から高さ方向に隆起する構成や、本体中央部１４に対して着脱する構成などであってもよい。
【００３０】
図１に示されているとおり、第二支持部２０は、本体中央部１４に対して検査台本体部１３の長手方向に起こされる。図２に示されているとおり、第二支持部２０は、検査台本体部１３に横たわった被検査者１と対面する位置に検査窓部２１が形成されている。検査窓部２１は、開口片部２２が配置されている。開口片部２２は、アーム部２３によって裏側が第二支持部２０の裏側に連結されている。
【００３１】
検査台１０は、第一状態、第二状態、または第三状態に変形する。図４に示されているとおり、第一状態では、第一支持部１７が稼働し、本体中央部１４の座部１５に座った被検査者１の背中３が第一支持部１７によって支持される。図１に示されているとおり、第二状態では、第二支持部２０が稼働し、検査台本体部１３に仰向けに横たわった被検査者１（図示省略）の背中３が第二支持部２０によって支持されて上半身が起こされる。図３に示されているとおり、第三状態では、開口片部２２が稼働し、検査台本体部１３に仰向けまたはうつ伏せに横たわった被検査者１（図示省略）と対面した検査窓部２１が開口し、被検査者１の身体の一部である背中３や胸部を検査窓部２１から露出させる。以下、検査台本体部１３が地面に対して水平で直線状である状態を初期状態とし、この初期状態から各状態に変化する過程を説明する。
【００３２】
図４に示されているとおり、第一状態では、第一支持部１７が本体中央部１４の座部１５に対して起き、支持面１８が正面側に向けられる。この第一状態で、被検査者１は、腰部２を座部１５の深い位置（幅方向）に配置させて座り、背中３を第一支持部１７の支持面１８に対面させる。その際、被検査者１は、大腿部４の裏側が座部１５の縁１６に配置され、縁１６と膝の裏５との間が空けられて下腿部６が垂下した姿勢になる。さらに、下肢支持部１９を稼働させ、可動部材２４を軸に第一棒部２５材が任意に傾倒することで、第二棒部材２６の位置が検査台１０に対して離反する。この第二棒部材２６に被検査者１の下肢の足７が載せられ、座部１５（縁１６）による下腿部６への圧迫が緩和する。また、可動部材２４を基台部１１の正面側に向けて前進させることで、下肢支持部１９が基台部１１から離れる方向（幅方向）に移動し、それと共に被検査者１の膝が伸びる方向に下腿部６が正面側に出される（図４および図５参照）。
【００３３】
図１に示されているとおり、第二状態では、第二支持部２０が本体中央部１４に対して起こされる。初期状態で検査台本体部１３に仰向けに横たわった被検査者１は、検査台１０が第二状態に変形することにより、背中３が第二支持部２０に支持されて上半身が起こされる。
【００３４】
図２および図３に示されているとおり、第三状態では、アーム部２３に連動して開口片部２２が第二支持部２０に対して下降することで、第二支持部２０は検査窓部２１が開口する。初期状態で検査台本体部１３に仰向けまたはうつ伏せに横たわった被検査者１は、検査台１０が第三状態に変形することにより、身体の一部である背中３や胸部が露出する。
【００３５】
以上のとおり、本実施形態に係る検査台１０が構成されている。次に、本実施形態に係る検査台１０の効果を説明する。
【００３６】
上記したとおり、本実施形態に係る検査台１０では、被検査者１が大腿部４の裏側を座部１５の縁１６に載せると共に座部１５の縁１６と膝の裏５との間を空けて下腿部６を垂下させ、背中３を支持面１８に対面させて第一支持部１７に寄りかかった姿勢において、被検査者１の上半身を支持する位置に第一支持部１７が配置されている。また、被検査者１が腰部２を座部１５の深い位置（幅方向）に配置させて座ると共に背中３を第一支持部１７の支持面１８に対面させて第一支持部１７に寄りかかった姿勢において、座部１５の縁１６に被検査者１の大腿部４の裏側が載せられると共に縁１６と膝の裏５との間が空けられる長さに座部１５の奥行（幅方向の長さ）が形成されている。この構成により、大腿部４の裏側および下腿部６が検査台１０の陰に隠れること無く露出する。したがって、下肢静脈瘤エコー検査に適した姿勢を被検査者１に促すことができる。また、被検査者１が検査台１０の座部１５に座った状態で、上半身が検査台本体部１３の幅方向から支持される。したがって、被検査者１が検査に適した姿勢を容易に取ることができ、その姿勢を安定させることができる。
【００３７】
本発明に係る検査台１０では、下肢支持部１９は、基台部１１に取り付けられた可動部材２４と、棒状の一方の先端が可動部材２４に取り付けられた一対の第一棒部材２５と、この第一棒部材２５の他方の先端に直角に連接されると共に第一棒部材２５間に配置された第二棒部材２６とが備えられている。図３に示されているとおり、下肢支持部１９は、可動部材２４を軸に第一棒部材２５が任意に傾倒することで、第二棒部材２６の位置が検査台１０に対して接近し、または離反する。また、可動部材２４を基台部１１の正面側に向けて前進させることで、下肢支持部１９は、基台部１１から離れる方向（幅方向）に移動することが可能である。図４および図５に示されているとおり、下肢支持部１９は、検査を受ける被検査者１の下肢の足７が載せられて支持される。したがって、被検査者１の下肢を適切な姿勢で安定させることができる。また、検査者が被検査者の下肢を支える必要がないため、検査者に対する身体的、精神的、および衛生的な負担を軽減することができる。
【００３８】
本発明に係る検査台１０は、第一状態、第二状態、または第三状態に変形する。図４に示されているとおり、第一状態では、第一支持部１７が稼働し、本体中央部１４の座部１５に座った被検査者１の背中３が第一支持部１７によって支持される。図１に示されているとおり、第二状態では、第二支持部２０が稼働し、検査台本体部１３に仰向けに横たわった被検査者１の背中３が第二支持部２０によって支持されて上半身が起こされる。図３に示されているとおり、第三状態では、開口片部２２が稼働し、検査台本体部１３に仰向けまたはうつ伏せに横たわった被検査者１と対面した検査窓部２１が開口し、被検査者１の身体の一部である背中３や胸部を検査窓部２１から露出させる。この構成により、第一状態、第二状態、および第三状態の三態様に応じた姿勢を被検査者に促すことで、様々な超音波検査に適した姿勢で被検査者１が支持される。したがって、様々な超音波検査に適した姿勢を一台で促すことができる。
【００３９】
以上、本発明の実施形態を詳述したが、本発明は上記実施形態に限定されるものではない。そして本発明は、特許請求の範囲に記載された事項を逸脱することがなければ、種々の設計変更を行うことが可能である。
【符号の説明】
【００４０】
１                被検査者
２                腰部
３                背中
４                大腿部
５                膝の裏
６                下腿部
７                足
１０              検査台
１１              基台部
１２              昇降部
１３              検査台本体部
１４              本体中央部
１５              座部
１６              縁
１７              第一支持部
１８              支持面
１９              下肢支持部
２０              第二支持部
２１              検査窓部
２２              開口片部
２３              アーム部
２４              可動部材
２５              第一棒部材
２６              第二棒部材
【図１】
2016067678.tif 000003
【図２】
2016067678.tif 000004
【図３】
2016067678.tif 000005
【図４】
2016067678.tif 000006
【図５】
2016067678.tif 000007
【図６】
2016067678.tif 000008